(57)【要約】【課題】目詰まり度合いが大きくなる前にエアフィルタの交換を使用者や交換作業者に促すことが可能な投写型映像表示装置を提供する。【解決手段】プロジェクタ１は、吸気口１１が設けられている筐体１０と、吸気口１１を覆うエアフィルタ４０と、エアフィルタ４０の目詰まり度合いを検出するための目詰まり検出センサ２７とを備える。そして、プロジェクタ１は、エアフィルタ４０の目詰まり度合いを表示するための提示部である投射レンズ２３と、エアフィルタ４０の目詰まり度合いの検出結果に基づいて、エアフィルタ４０の目詰まり度合いの表示態様を変化させる制御部３１とを備え、エアフィルタ４０の目詰まり度合いが３段階以上の表示態様により表示される。【選択図】図１
2012128282.tif 000002
【特許請求の範囲】
【請求項１】
吸気口が設けられている筐体と、前記吸気口を覆うエアフィルタと、このエアフィルタの目詰まり度合いを検出するための目詰まり検出センサとを備える投写型映像表示装置において、
前記目詰まり度合いを表示するための提示部と、
前記目詰まり度合いの検出結果に基づいて、同目詰まり度合いの表示態様を変化させる制御部とを備え、
前記目詰まり度合いが３段階以上の表示態様により表示される
ことを特徴とする投写型映像表示装置。
【請求項２】
前記目詰まり度合いが、０以上１００以下の数値で表示され、
前記制御部は、前記目詰まり度合いとして表示される数値を増減させる
ことを特徴とする請求項１に記載の投写型映像表示装置。
【請求項３】
前記目詰まり検出センサは、前記エアフィルタを通過した風量を検出する風量センサである
ことを特徴とする請求項１または２に記載の投写型映像表示装置。
【請求項４】
前記目詰まり検出センサは、前記筐体内部の温度変化に基づいて前記エアフィルタを通過した風量を検出するものである
ことを特徴とする請求項１〜３のいずれか一項に記載の投写型映像表示装置。
【請求項５】
前記エアフィルタの使用時間を計時する計時部を備え、
前記目詰まり度合いの検出結果と、前記エアフィルタの使用時間とに基づいて、前記エアフィルタによる塵埃の捕捉可能な度合いが表示される
ことを特徴とする請求項１〜４のいずれか一項に記載の投写型映像表示装置。
【請求項６】
前記エアフィルタの使用時間が、第１の所定時間を超えていないときには、同第１の所定時間を超えているときに比べて、前記エアフィルタによる塵埃の捕捉可能な度合いが大きい度合いで表示される
ことを特徴とする請求項５に記載の投写型映像表示装置。
【請求項７】
前記エアフィルタの使用時間が、前記第１の所定時間よりも長い第２の所定時間を超えているときには、同第２の所定時間を超えていないときに比べて、前記エアフィルタによる塵埃の捕捉可能な度合いが小さい度合いで表示される
ことを特徴とする請求項６に記載の投写型映像表示装置。
【請求項８】
前記エアフィルタを掃除するフィルタ掃除装置を備えている
ことを特徴とする請求項１〜７のいずれか一項に記載の投写型映像表示装置。
【請求項９】
前記エアフィルタは、互いに積層された１次エアフィルタと２次エアフィルタとにより構成され、
前記目詰まり検出センサは、前記フィルタ掃除装置により前記１次エアフィルタが掃除された直後に、前記目詰まり度合いを示す物理量を検出し、
前記１次エアフィルタが掃除された直後の前記物理量に基づいて、前記目詰まり度合いが表示される
ことを特徴とする請求項８に記載の投写型映像表示装置。
【請求項１０】
前記提示部は、前記目詰まり度合いを映像として投射する投射部である
ことを特徴とする請求項１〜９のいずれか一項に記載の投写型映像表示装置。
【請求項１１】
前記提示部は、前記筐体に設けられた表示部である
ことを特徴とする請求項１〜９のいずれか一項に記載の投写型映像表示装置。
【発明の詳細な説明】
【技術分野】
【０００１】
本願発明は、吸気口が設けられている筐体と、吸気口を覆うエアフィルタと、このエアフィルタの目詰まり度合いを検出するための目詰まり検出センサとを備える投写型映像表示装置に関する。
【背景技術】
【０００２】
一般に、投写型映像表示装置の筐体の内部に設けられる光学部品や電子部品は、吸気口を通って筐体の外部から内部に吸入された空気により冷却される。投写型映像表示装置は、空気中の塵埃が吸気口を通って筐体の内部に流入しないように、吸気口を覆うエアフィルタを備えている。
【０００３】
また、エアフィルタの目詰まり度合いが大きくなったときに、エアフィルタによる塵埃の捕捉性能を自動的に回復させる投写型映像表示装置が開示されている（例えば、特許文献１参照）。
【０００４】
また、エアフィルタの目詰まり度合いが大きくなったときに、エアフィルタに目詰まりが発生していることを報知する投写型映像表示装置が開示されている（例えば、特許文献２参照）。特許文献２には、フィルタの目詰まりを検出する目詰まり検出手段を備え、目詰まり検出手段によりフィルタの目詰まりを検出した際、警報を出力することが記載されている。
【先行技術文献】
【特許文献】
【０００５】
【特許文献１】特開２００８−２６２０３５号公報
【特許文献２】特開２００７−４７８４３号公報
【発明の概要】
【発明が解決しようとする課題】
【０００６】
ところで、エアフィルタによる塵埃の捕捉性能を回復させることができない場合には、特許文献２に記載されるように目詰まり度合いが大きくなったときにエアフィルタを交換する旨を報知する必要がある。しかし、特許文献２に記載される目詰まりの報知においては、目詰まり度合いが大きくなったときに報知が行われるため、目詰まり度合いが大きくなる前にエアフィルタの交換を使用者や交換作業者に促すことはできない。
【０００７】
本発明は、こうした実情に鑑みてなされたものであり、その目的は、目詰まり度合いが大きくなる前にエアフィルタの交換を使用者や交換作業者に促すことが可能な投写型映像表示装置を提供することにある。
【課題を解決するための手段】
【０００８】
以下、上記目的を達成するための手段及びその作用効果について記載する。
請求項１に記載の発明は、吸気口が設けられている筐体と、前記吸気口を覆うエアフィルタと、このエアフィルタの目詰まり度合いを検出するための目詰まり検出センサとを備える投写型映像表示装置において、前記目詰まり度合いを表示するための提示部と、前記目詰まり度合いの検出結果に基づいて、同目詰まり度合いの表示態様を変化させる制御部とを備え、前記目詰まり度合いが３段階以上の表示態様により表示されることを特徴とする。
【０００９】
上記構成によれば、投写型映像表示装置は、目詰まり度合いを表示するための提示部と、目詰まり度合いの検出結果に基づいて、目詰まり度合いの表示態様を変化させる制御部とを備え、目詰まり度合いが３段階以上の表示態様をもって表示される。このため、目詰まり度合いを報知することができ、目詰まり度合いが大きくなる前にエアフィルタの交換を使用者やエアフィルタの交換作業者に促すことが可能となる。
【００１０】
請求項２に記載の発明は、請求項１に記載の投写型映像表示装置において、前記目詰まり度合いが、０以上１００以下の数値で表示され、前記制御部は、前記目詰まり度合いとして表示される数値を増減させることを特徴とする。
【００１１】
上記構成によれば、目詰まり度合いが０以上１００以下の数値で表示され、制御部は、目詰まり度合いとして表示される数値を増減させる。このため、目詰まり度合いが百分率により表現されるため、使用者やエアフィルタの交換作業者は目詰まり度合いを容易に把握することが可能となる。
【００１２】
請求項３に記載の発明は、請求項１または２に記載の投写型映像表示装置において、前記目詰まり検出センサは、前記エアフィルタを通過した風量を検出する風量センサであることを特徴とする。
【００１３】
上記構成によれば、エアフィルタを通過した風量を検出する風量センサである。このため、風量センサにより、筐体の内部に設けられる光学部品や電子部品等を冷却するための風量が確保できているか否かを判断することができる。
【００１４】
請求項４に記載の発明は、請求項１または２に記載の投写型映像表示装置において、前記目詰まり検出センサは、前記筐体内部の温度変化に基づいて前記エアフィルタを通過した風量を検出するものであることを特徴とする。
【００１５】
上記構成によれば、目詰まり検出センサは、筐体内部の温度変化に基づいてエアフィルタを通過した風量を検出するものである。このため、目詰まり検出センサを用いて、筐体内部の温度が、筐体の内部に設けられる光学部品や電子部品等に悪影響を与える異常温度に達しているか否かを判断することができる。
【００１６】
請求項５に記載の発明は、請求項１〜４のいずれか一項に記載の投写型映像表示装置において、前記エアフィルタの使用時間を計時する計時部を備え、前記目詰まり度合いの検出結果と、前記エアフィルタの使用時間とに基づいて、前記エアフィルタによる塵埃の捕捉可能な度合いが表示されることを特徴とする。
【００１７】
上記構成によれば、目詰まり度合いの検出結果と、エアフィルタの使用時間とに基づいて、エアフィルタによる塵埃の捕捉可能な度合いが表示される。このため、エアフィルタの目詰まり度合いだけでなく、エアフィルタの経年劣化の度合いも報知することが可能となる。
【００１８】
請求項６に記載の発明は、請求項５に記載の投写型映像表示装置において、前記エアフィルタの使用時間が、第１の所定時間を超えていないときには、同第１の所定時間を超えているときに比べて、前記エアフィルタによる塵埃の捕捉可能な度合いが大きい度合いで表示されることを特徴とする。
【００１９】
上記構成によれば、エアフィルタの使用時間が、第１の所定時間を超えていないときには、第１の所定時間を超えているときに比べて、エアフィルタによる塵埃の捕捉可能な度合いが大きい度合いで表示される。従って、エアフィルタの交換に基づいてエアフィルタの使用時間の測定が開始されれば、エアフィルタの交換作業完了からの経過時間が第１の所定時間を超えていないときは、エアフィルタの交換作業完了からの経過時間が第１の所定時間を超えているときに比べて、塵埃の捕捉可能な度合いが大きい度合いで表示される。よって、エアフィルタの交換作業完了からの経過時間が第１の所定時間を超えていないとき、即ちエアフィルタが使用開始から間もないときは、エアフィルタを交換する必要性が低いことを提示可能である。
【００２０】
請求項７に記載の発明は、請求項６に記載の投写型映像表示装置において、前記エアフィルタの使用時間が、前記第１の所定時間よりも長い第２の所定時間を超えているときには、同第２の所定時間を超えていないときに比べて、前記エアフィルタによる塵埃の捕捉可能な度合いが小さい度合いで表示されることを特徴とする。
【００２１】
上記構成によれば、エアフィルタの使用時間が、第１の所定時間よりも長い第２の所定時間を超えているときには、第２の所定時間を超えていないときに比べて、エアフィルタによる塵埃の捕捉可能な度合いが小さい度合いで表示される。従って、エアフィルタの交換に基づいてエアフィルタの使用時間の測定が開始されれば、エアフィルタの交換作業完了からの経過時間が第２の所定時間を超えているときは、エアフィルタの交換作業完了からの経過時間が第２の所定時間を超えていないときに比べて、塵埃の捕捉可能な度合いが小さい度合いで表示される。よって、エアフィルタの交換作業完了からの経過時間が第２の所定時間を超えているときは、エアフィルタの経年劣化に応じてエアフィルタを交換する必要性が高いことを提示可能である。
【００２２】
請求項８に記載の発明は、請求項１〜７のいずれか一項に記載の投写型映像表示装置において、前記エアフィルタを掃除するフィルタ掃除装置を備えていることを特徴とする。
上記構成によれば、フィルタ掃除装置によりエアフィルタが掃除されることによって、エアフィルタの目詰まり度合いを低減させて、エアフィルタによる塵埃の捕捉性能を回復させることが可能である。
【００２３】
請求項９に記載の発明は、請求項８に記載の投写型映像表示装置において、前記エアフィルタは、互いに積層された１次エアフィルタと２次エアフィルタとにより構成され、前記目詰まり検出センサは、前記フィルタ掃除装置により前記１次エアフィルタが掃除された直後に、前記目詰まり度合いを示す物理量を検出し、前記１次エアフィルタが掃除された直後の前記物理量に基づいて、前記目詰まり度合いが表示されることを特徴とする。
【００２４】
１次エアフィルタが掃除されることにより１次エアフィルタの目詰まり度合いは低減する。上記構成によれば、１次エアフィルタが掃除された直後の目詰まり度合いを示す物理量に基づいて、目詰まり度合いが表示されるため、２次エアフィルタの目詰まり度合いを精度良く検出することができる。
【００２５】
請求項１０に記載の発明は、請求項１〜９のいずれか一項に記載の投写型映像表示装置において、前記提示部は、前記目詰まり度合いを映像として投射する投射部であることを特徴とする。
【００２６】
上記構成によれば、エアフィルタの目詰まり度合いを表示するための提示部は、目詰まり度合いを映像として投射する投射部であるため、目詰まり度合いをスクリーン等の平面上に投写して表示することができる。
【００２７】
請求項１１に記載の発明は、請求項１〜９のいずれか一項に記載の投写型映像表示装置において、前記提示部は、前記筐体に設けられた表示部であることを特徴とする。
上記構成によれば、提示部は、筐体に設けられた表示部であるため、目詰まり度合いの映像を投写して表示することなく目詰まり度合いを表示することが可能となる。
【発明の効果】
【００２８】
本発明によれば、目詰まり度合いが大きくなる前にエアフィルタの交換を使用者やエアフィルタの交換作業者に促すことが可能となる。
【図面の簡単な説明】
【００２９】
【図１】本発明の第１実施形態に係る投写型映像表示装置の概略構成図。
【図２】（ａ）〜（ｄ）は、同実施形態の投写型映像表示装置により表示される目詰まり度合いの表示態様の一例を示す模式図。
【図３】同実施形態の投写型映像表示装置において、エアフィルタによる塵埃の捕捉可能な度合いの変化を示すグラフ。
【図４】本発明の第２実施形態に係る投写型映像表示装置において、エアフィルタによる塵埃の捕捉可能な度合いを補正するための補正係数の変化を示すグラフ。
【図５】同実施形態に係る投写型映像表示装置において、エアフィルタの使用時間が使用初期時間を超えていないときの、エアフィルタによる塵埃の捕捉可能な度合いの変化を示すグラフ。
【図６】同実施形態に係る投写型映像表示装置において、エアフィルタの使用時間が使用超過時間を超えているときの、エアフィルタによる塵埃の捕捉可能な度合いの変化を示すグラフ。
【図７】本発明の第３実施形態に係る投写型映像表示装置において、エアフィルタの使用時間が使用初期時間を超えていないときの、エアフィルタによる塵埃の捕捉可能な度合いの変化を示すグラフ。
【図８】同実施形態に係る投写型映像表示装置において、エアフィルタの使用時間が使用初期時間を超え、かつ、使用超過時間を超えているときの、エアフィルタによる塵埃の捕捉可能な度合いの変化を示すグラフ。
【図９】同実施形態に係る投写型映像表示装置において、エアフィルタの使用時間が使用超過時間を超えているときの、エアフィルタによる塵埃の捕捉可能な度合いの変化を示すグラフ。
【発明を実施するための形態】
【００３０】
（第１実施形態）
以下、本発明の一実施形態である第１実施形態について図面を参照しながら説明する。
図１に示すように、投写型映像表示装置であるプロジェクタ１は、電子部品や光学部品等を内蔵するための筐体１０を備えている。この筐体１０には、筐体１０の外部から内部に空気を吸入することが可能な吸気口１１が設けられている。
【００３１】
プロジェクタ１は、映像を表示するための光学部品として、映像表示用の光を発する光源部２１と、光源部２１が発した光を用いて映像を生成する映像生成部２２と、生成された映像の光を投射する投射部である投射レンズ２３とを備えている。
【００３２】
光源部２１は、超高圧水銀ランプやメタルハライドランプ等の放電ランプにより構成されている。光源部２１が発する光は、映像生成部２２に入射する。
映像生成部２２は、例えば、ドットマトリクス型のライトバルブである液晶パネルや、微小鏡を格子状に配列したＤＭＤ（Digital Micromirror Device）を備えた電気光学装置により構成されている。映像生成部２２には映像信号が入力され、この映像信号に基づいて液晶パネルやＤＭＤが駆動される。そして、光源部２１から映像生成部２２に入射した光が、液晶パネルを透過したり、ＤＭＤで反射されたりすることによって、映像信号に基づいた映像が生成される。
【００３３】
投射レンズ２３は、光を投射することによって映像を提示する提示部である。投射レンズ２３は、映像生成部２２により生成された映像の光を投射するレンズ群により構成されている。従って、映像の光が投射レンズ２３からプロジェクタ１の外部に向けて投射されることにより、スクリーンや壁等の平面上に映像が表示される。
【００３４】
また、プロジェクタ１は、電気信号である映像信号に基づいて映像を生成するための構成として、プロジェクタ１の外部から映像信号が入力される映像信号入力部２４と、映像信号に対して信号処理を施す映像信号処理部２５とを備えている。
【００３５】
映像信号入力部２４は、例えば映像ケーブル（不図示）が接続される映像信号入力端子により構成されている。プロジェクタ１には、映像信号入力部２４を介してＰＣ（Personal Computer）や映像再生装置等の外部機器から映像信号が入力される。なお、映像信号入力部２４は、無線により送信された映像信号を受信する無線モジュールであってもよい。
【００３６】
映像信号処理部２５は、プロジェクタ１に入力された映像信号に対して、ＯＳＤ（On Screen Display）処理等の種々の信号処理を施す信号処理回路により構成されている。ＯＳＤ処理は、映像信号に基づく画像上に他の画像を合成する信号処理である。映像信号処理部２５における信号処理は、プロジェクタ１が備える制御部３１により制御される。映像信号処理部２５により信号処理が施された映像信号は、映像生成部２２に入力される。
【００３７】
また、プロジェクタ１は、光源部２１や映像生成部２２を構成する光学部品に空気を送風する冷却ファン２６と、空気中の塵埃を捕捉するエアフィルタ４０と、エアフィルタ４０の目詰まり度合いを検出するための目詰まり検出センサ２７とを備えている。
【００３８】
冷却ファン２６は、吸気口１１を通して筐体１０の外部から内部に空気を吸入するとともに、筐体１０内に吸入した空気を高温となる放電ランプや液晶パネル等に送風する送風機である。
【００３９】
吸気口１１を覆うエアフィルタ４０は、互いに積層された１次エアフィルタ４０Ａと２次エアフィルタ４０Ｂとにより構成されている。２次エアフィルタ４０Ｂは、静電エアフィルタであって、１次エアフィルタ４０Ａにより捕捉できなかった塵埃を捕捉する。
【００４０】
本実施形態においては、エアフィルタ４０は、筐体１０に対して着脱可能なエアフィルタ装置４に設けられている。従って、エアフィルタ装置４を筐体１０から取り外すことによって、塵埃の捕捉性能を回復させることができない２次エアフィルタ４０Ｂを交換することができる。また、エアフィルタ装置４は、１次エアフィルタ４０Ａを掃除するフィルタ掃除装置４１を備えている。回転ブラシ４１Ａを備えるフィルタ掃除装置４１は、回転ブラシ４１Ａを回転させながら図中の矢印Ｓで示す方向に動くことによって、エアフィルタ４０を構成する１次エアフィルタ４０Ａを掃除する。フィルタ掃除装置４１は、例えば、１次エアフィルタ４０Ａの使用時間に基づいて掃除を開始する。
【００４１】
目詰まり検出センサ２７は、冷却ファン２６により送風される風量、即ちエアフィルタ４０を通過した風量を検出する風量センサである。従って、目詰まり検出センサ２７は、エアフィルタ４０を通過した風量に基づいて、エアフィルタ４０の目詰まり度合いを示す信号を制御部３１に出力する。目詰まり検出センサ２７は、エアフィルタ４０が掃除された直後にエアフィルタ４０を通過した風量を検出する。目詰まり検出センサ２７によるエアフィルタ４０の目詰まり度合いの検出結果は、制御部３１に入力され、記憶部３２に記憶される。
【００４２】
また、プロジェクタ１は、エアフィルタ４０の交換を検知する交換検知部２８と、エアフィルタ４０の使用時間を計時する計時部２９とを備えている。さらに、プロジェクタ１は、プロジェクタ１の各部を制御する制御部３１と、プロジェクタ１の各部の制御に必要な情報が記憶される記憶部３２と、プロジェクタ１の使用者等に操作される操作部３３と、プロジェクタ１の使用者等に画像を提示する表示部３４とを備えている。
【００４３】
交換検知部２８は、エアフィルタ装置４の着脱を検出することによりエアフィルタ４０の交換を検知するセンサにより構成されている。交換検知部２８は、エアフィルタ４０が交換されたときに、エアフィルタ４０が交換されたことを示す信号を制御部３１に出力する。
【００４４】
計時部２９は、エアフィルタ４０の使用時間を計時するタイマカウンタである。即ち、計時部２９は、１次エアフィルタ４０Ａおよび２次エアフィルタ４０Ｂの使用時間を計測する。１次エアフィルタ４０Ａおよび２次エアフィルタ４０Ｂの使用時間は、例えば、冷却ファン２６が作動している時間の累積時間である。この使用時間は、エアフィルタ４０の交換が検知されたことに基づいて「０」にリセットされる。
【００４５】
制御部３１は、映像信号処理部２５の制御、冷却ファン２６の制御、光源部２１の制御、表示部３４の制御等を行う集積回路により構成されている。演算装置である制御部３１は、エアフィルタ４０の目詰まり度合いの検出結果に基づいて、エアフィルタ４０による塵埃の捕捉可能な度合いを算出する。
【００４６】
記憶部３２は、制御部３１が実行するプログラム等の情報を記憶する不揮発性のメモリにより構成されている。記憶部３２には、制御部３１が演算を行うための数値等の情報が記憶されている。
【００４７】
操作部３３は、例えば、押しボタンにより構成されている。操作部３３は、プロジェクタ１のユーザ等によって操作されるユーザインタフェースである。制御部３１は、操作部３３を用いた操作が行われることに基づいて、映像信号処理部２５の制御等を行う。
【００４８】
表示部３４は、例えば、液晶パネルにより構成されている。表示部３４は、プロジェクタ１のユーザ等に情報を提示するユーザインタフェースである。表示部３４は、制御部３１に制御されることによって、種々の情報を表示する。
【００４９】
次に、目詰まり度合いを表示する際のプロジェクタ１の動作について説明する。
操作部３３を用いてエアフィルタ４０の目詰まり度合いを表示するための操作が行われると、制御部３１は、目詰まり度合いの検出結果に基づいて、エアフィルタ４０の目詰まり度合いを表示するためのＯＳＤ処理が行われるように映像信号処理部２５を制御する。
【００５０】
映像信号処理部２５は、エアフィルタ４０の目詰まり度合いを表示するためのＯＳＤ処理を行う。こうして、ＯＳＤ処理が施された映像信号、即ち、エアフィルタ４０の目詰まり度合いを示す映像信号が映像生成部２２に入力される。
【００５１】
そして、投射レンズ２３により、エアフィルタ４０の目詰まり度合いが映像として投射され、スクリーン等の平面上にエアフィルタ４０の目詰まり度合いが表示される。このようにして、投射レンズ２３はエアフィルタ４０の目詰まり度合いを映像として提示する。従って、制御部３１は、映像信号処理部２５を制御することによって、投射レンズ２３を用いて表示される映像の表示態様を変化させる。
【００５２】
映像として提示されるエアフィルタ４０の目詰まり度合いは、目詰まり検出センサ２７による目詰まり度合いの検出結果に応じて異なる。即ち、制御部３１は、目詰まり検出センサ２７による目詰まり度合いの検出結果に基づいて、エアフィルタ４０の目詰まり度合いの表示態様を変化させる。エアフィルタ４０の目詰まり度合いは３段階以上の表示態様により表示される。
【００５３】
図２（ａ）〜（ｄ）の各々は、エアフィルタの４０の目詰まり度合いの表示態様の一例を示す模式図である。図２（ａ）〜（ｄ）に示す表示態様の一例においては、エアフィルタ４０の目詰まり度合いは、エアフィルタ４０による塵埃の捕捉可能な度合いとして表示されている。エアフィルタ４０の目詰まり度合いが大きければ、エアフィルタ４０による塵埃の捕捉可能な度合いは小さい。
【００５４】
本実施形態においては、エアフィルタ４０による塵埃の捕捉可能な度合いが、０以上１００以下の数値で表示され、制御部３１は、この数値を１０刻みで増減させる。即ち、エアフィルタ４０による塵埃の捕捉可能な度合いが、「０」、「１０」、「２０」、「３０」、「４０」、「５０」、「６０」、「７０」、「８０」、「９０」、及び「１００」の１１段階の表示態様により表示される。また、図２（ｄ）に示すように、エアフィルタ４０による塵埃の捕捉可能な度合いが小さければ、即ち、エアフィルタ４０の目詰まり度合いが大きければ、制御部３１は、映像信号処理部２５を制御することにより、エアフィルタ４０による塵埃の捕捉可能な度合いとともに、エアフィルタ４０を交換する旨のメッセージを表示させる。
【００５５】
エアフィルタ４０による塵埃の捕捉可能な度合いを示す数値について説明する。
エアフィルタ４０による塵埃の捕捉可能な度合いを示す数値は、下記数式（１）を演算することにより算出される塵埃捕捉可能度の一の位を四捨五入した数値である。
【００５６】
【数１】
2012128282.tif 000003
【００５７】
数式においては、塵埃捕捉可能度を「Ｐ」とし、目詰まり検出センサ２７により検出された風量を「Ａｆ」とし、エアフィルタ４０に目詰まりが発生していないときにエアフィルタ４０を通過する風量を「Ａｍａｘ」とし、エアフィルタ４０の目詰まり度合いが最大のときにエアフィルタ４０を通過する風量を「Ａｍｉｎ」として表している。「Ａｍｉｎ≦Ａｆ≦Ａｍａｘ」を満たす「Ａｆ」は、エアフィルタ４０の目詰まり度合いが大きくなるにつれて小さくなる。なお、エアフィルタ４０の目詰まり度合いが最大のときは、エアフィルタ４０を通過する風量が少なく、筐体１０の内部を冷却する風量が確保できないときである。
【００５８】
図３は、上記数式（１）を実線で示すグラフであって、エアフィルタ４０による塵埃の捕捉可能な度合いと、エアフィルタ４０の目詰まり度合いとの関係を示している。図３のグラフの縦軸は、エアフィルタ４０による塵埃の捕捉可能な度合いを示すとともに、塵埃捕捉可能度である上記数式（１）の「Ｐ」を示す。また、図３のグラフの横軸は、エアフィルタ４０の目詰まり度合いを示すとともに、目詰まり度である上記数式（１）の「（Ａｍａｘ−Ａｆ）／（Ａｍａｘ−Ａｍｉｎ）」を示す。
【００５９】
また、図３中の二点鎖線は、「Ｐ」の一の位を四捨五入したときのエアフィルタ４０による塵埃の捕捉可能な度合いを示している。従って、図３中の二点鎖線で示すように、０以上１００以下の範囲で１０刻みの数値として表示されるエアフィルタ４０による塵埃の捕捉可能な度合いは、目詰まり度が大きくなると、１００から０に段階的に小さくなっていく。目詰まり度が０以上０．０５以下のときは、「Ｐ」は９５以上１００以下であって、エアフィルタ４０による塵埃の捕捉可能な度合いは「１００」である。また、目詰まり度が０．０５超０．１５以下のときは、「Ｐ」は８５以上９５未満であって、エアフィルタ４０による塵埃の捕捉可能な度合いは「９０」である。このように、目詰まり度が大きくなると、表示される度合いは１０刻みで減少する。また、目詰まり度が０．９５超１未満のときは、「Ｐ」は０超５未満であって、表示されるエアフィルタ４０による塵埃の捕捉可能な度合いは「０」である。なお、目詰まり度が１のときは、制御部３１は光源部２１を停止させる。
【００６０】
本実施形態によれば、以下の効果を得ることができる。
（１）プロジェクタ１は、エアフィルタ４０の目詰まり度合いを表示するための提示部である投射レンズ２３と、エアフィルタ４０の目詰まり度合いの検出結果に基づいて、エアフィルタ４０の目詰まり度合いの表示態様を変化させる制御部３１とを備えている。そして、エアフィルタ４０の目詰まり度合いが３段階以上の表示態様により表示される。このため、エアフィルタ４０の目詰まり度合いを報知することができ、エアフィルタ４０の目詰まり度合いが大きくなる前にエアフィルタ４０の交換を使用者やエアフィルタ４０の交換作業者に促すことが可能となる。その結果、目詰まり度合いが大きくなる前にエアフィルタ４０の交換が行われることで、筐体１０の内部温度の上昇が抑制される。
【００６１】
（２）エアフィルタ４０の目詰まり度合いが、０以上１００以下の数値で表示され、制御部３１は、エアフィルタ４０の目詰まり度合いとして表示される数値を増減させる。このため、エアフィルタ４０の目詰まり度合いが百分率により表現されるため、使用者やエアフィルタ４０の交換作業者は目詰まり度合いを容易に把握することが可能となる。
【００６２】
（３）目詰まり検出センサ２７は、エアフィルタ４０を通過した風量を検出する風量センサである。このため、風量センサである目詰まり検出センサ２７により、筐体１０の内部に設けられる光学部品である光源部２１や電子部品等を冷却するための風量が、確保できているか否かを判断することができる。
【００６３】
（４）目詰まり検出センサ２７は、筐体１０内部の温度変化に基づいてエアフィルタ４０を通過した風量を検出するものであるため、目詰まり検出センサ２７を用いて、筐体１０内部の温度が、筐体１０の内部に設けられる光学部品である光源部２１や電子部品等に悪影響を与える異常温度に達しているか否かを判断することができる。
【００６４】
（５）プロジェクタ１は、エアフィルタ４０を掃除するフィルタ掃除装置４１を備えている。このため、フィルタ掃除装置４１によりエアフィルタ４０が掃除されることによって、エアフィルタ４０の目詰まり度合いを低減させて、エアフィルタ４０による塵埃の捕捉性能を回復させることが可能である。
【００６５】
（６）目詰まり検出センサ２７は、フィルタ掃除装置４１により１次エアフィルタ４０Ａが掃除された直後に、エアフィルタ４０の目詰まり度合いを示す物理量としてエアフィルタ４０を通過した風量を検出し、１次エアフィルタ４０Ａが掃除された直後の風量に基づいて、エアフィルタ４０の目詰まり度合いが表示される。１次エアフィルタ４０Ａが掃除されることにより１次エアフィルタ４０Ａの目詰まり度合いは低減する。よって、１次エアフィルタ４０Ａが掃除された直後の目詰まり度合いを示す物理量に基づいて、エアフィルタ４０の目詰まり度合いが表示されるため、２次エアフィルタ４０Ｂの目詰まり度合いを精度良く検出することができる。
【００６６】
（７）エアフィルタ４０の目詰まり度合いを映像として投射する投射レンズ２３が、エアフィルタ４０の目詰まり度合いを表示するための提示部として構成されている。即ち、投射レンズ２３がエアフィルタ４０の目詰まり度合いを映像として投射することにより、エアフィルタ４０の目詰まり度合いが表示される構成である。このため、エアフィルタ４０の目詰まり度合いをスクリーン等の平面上に投写して表示することができる。
【００６７】
（第２実施形態）
次に、本発明の一実施形態である第２実施形態を説明する。なお、本実施形態においては、上記第１の実施形態と同様の構成については、その説明を省略または簡略化する。
【００６８】
本実施形態においては、制御部３１は、エアフィルタ４０の目詰まり度合いの検出結果と、エアフィルタ４０の使用時間とに基づいて、エアフィルタ４０による塵埃の捕捉可能な度合いを算出する。
【００６９】
本実施形態の塵埃捕捉可能度「Ｐ」は、上記数式（１）に補正係数を掛けた下記数式（２）を演算することにより算出される。下記数式においては、補正係数を「α」として表している。
【００７０】
【数２】
2012128282.tif 000004
【００７１】
補正係数「α」は、エアフィルタ４０の使用時間に応じた数である。具体的には、エアフィルタ４０の使用時間が、使用初期時間を超えていないときと、使用初期時間を超え、かつ、使用超過時間を超えていないときと、使用超過時間を超えているときとで補正係数「α」は異なる。使用初期時間は第１の所定時間であって、使用超過時間は第１の所定時間よりも長い第２の所定時間である。
【００７２】
エアフィルタ４０の使用時間が使用初期時間（例えば、１０００時間）を超えていないときの補正係数「α」は、下記数式（３）を演算することにより算出される。下記数式において、所定の正の係数を「β」とし、エアフィルタ４０の使用時間を「Ｔ」とし、使用初期時間を「Ｔａ」として表す。係数「β」は例えば０．２である。
【００７３】
【数３】
2012128282.tif 000005
【００７４】
エアフィルタ４０の使用時間が使用初期時間を超えていないときの補正係数「α」は１よりも大きい数である。また、補正係数「α」は、エアフィルタ４０の使用時間が大きくなるにつれて、１に近づくように小さくなる。
【００７５】
エアフィルタ４０の使用時間が使用初期時間を超え、かつ、使用超過時間（例えば、５０００時間）を超えていないときの補正係数「α」は１である。補正係数「α」のときは、上記数式（２）は上記数式（１）と等しい。なお、エアフィルタ４０の使用時間が使用初期時間であるとき、及びエアフィルタ４０の使用時間が使用超過時間であるときの補正係数「α」も１である。
【００７６】
エアフィルタ４０の使用時間が使用超過時間を超えているときの補正係数「α」は、下記数式（４）を演算することにより算出される。下記数式において、使用超過時間を「Ｔｂ」とし、使用限界時間を「Ｔｃ」として表す。「Ｔｂ」は「Ｔｃ」よりも小さい数である。使用限界時間は、例えば６０００時間である。
【００７７】
【数４】
2012128282.tif 000006
【００７８】
エアフィルタ４０の使用時間が使用超過時間を超えているときの補正係数「α」は１よりも小さい数である。また、補正係数「α」は、エアフィルタ４０の使用時間が大きくなるにつれて、０に近づくように小さくなる。エアフィルタ４０の使用時間が使用限界時間と同じであるときの補正係数「α」は０である。
【００７９】
従って、図４に示すように、エアフィルタ４０の使用時間が、使用初期時間を超えていないときと、使用超過時間を超えているときに、補正係数「α」が１以外の数となる。補正係数「α」が１以外の数になると、塵埃捕捉可能度「Ｐ」が、エアフィルタ４０の使用時間に応じた補正係数を用いて補正される。以上のように、本実施形態においては、目詰まり検出センサ２７による目詰まり度合いの検出結果と、計時部２９により計測されるエアフィルタ４０の使用時間とに基づいて、「エアフィルタ塵埃捕捉可能度」が表示される。
【００８０】
図５は、係数「β」を０．２としたときに、エアフィルタ４０の使用時間「Ｔ」が５００時間であるときの上記数式（２）を実線で示すグラフであって、エアフィルタ４０による塵埃の捕捉可能な度合いと、エアフィルタ４０の目詰まり度合いとの関係を示している。このとき、補正係数「α」は１．１である。
【００８１】
また、図５中の二点鎖線は、図３中の二点鎖線と同様に、０以上１００以下の範囲で１０刻みの数値として表示されるエアフィルタ４０による塵埃の捕捉可能な度合いを示している。「Ｐ」が１００を超える数であるとき、０以上１００以下の範囲で１０刻みの数値として表示されるエアフィルタ４０による塵埃の捕捉可能な度合いは、「１００」として表示される。エアフィルタ４０の使用時間が５００時間である場合には、目詰まり度が０以上０．１３以下のときは、「Ｐ」は９５以上１１０以下であって、エアフィルタ４０による塵埃の捕捉可能な度合いは「１００」である。従って、目詰まり度が０．０５超０．１３以下のときには、エアフィルタ４０の使用時間が、使用初期時間を超えていないときには、使用初期時間を超えているときに比べて、エアフィルタ４０による塵埃の捕捉可能な度合いが大きい度合いで表示される。このように、補正係数「α」が１より大きい場合には、エアフィルタ４０による塵埃の捕捉可能な度合いが「１００」に維持され易い。
【００８２】
図６は、使用超過時間「Ｔｂ」を５０００時間とし、使用限界時間「Ｔｃ」を６０００時間としたときに、エアフィルタ４０の使用時間「Ｔ」が５５００時間であるときの上記数式（２）を実線で示すグラフであって、エアフィルタ４０による塵埃の捕捉可能な度合いと、エアフィルタ４０の目詰まり度合いとの関係を示している。このとき、補正係数「α」は０．５である。
【００８３】
また、図６中の二点鎖線は、図３および図５中の二点鎖線と同様に、０以上１００以下の範囲で１０刻みの数値として表示されるエアフィルタ４０による塵埃の捕捉可能な度合いを示している。エアフィルタ４０の使用時間が５５００時間である場合には、目詰まり度が０以上０．１以下のときは、「Ｐ」は４５以上５０以下であって、エアフィルタ４０による塵埃の捕捉可能な度合いは「５０」である。また、エアフィルタ４０の使用時間が５５００時間である場合には、目詰まり度が０．９超１以下のときは、「Ｐ」は０超５未満であって、表示されるエアフィルタ４０による塵埃の捕捉可能な度合いは「０」である。従って、目詰まり度が小さい場合であっても、２次エアフィルタ４０Ｂの経年劣化を考慮し、エアフィルタ４０の使用時間が、使用超過時間を超えているときには、使用超過時間を超えていないときに比べて、エアフィルタ４０による塵埃の捕捉可能な度合いが小さい度合いで表示される。
【００８４】
本実施形態によれば、上記（１）〜（７）に記載の効果に加えて、以下の効果を得ることができる。
（８）プロジェクタ１は、エアフィルタ４０の使用時間を計時する計時部２９を備え、エアフィルタ４０の目詰まり度合いの検出結果と、エアフィルタ４０の使用時間とに基づいて、エアフィルタ４０による塵埃の捕捉可能な度合いが表示される。このため、エアフィルタ４０の目詰まり度合いだけでなく、エアフィルタ４０の経年劣化の度合いも報知することが可能となる。
【００８５】
（９）エアフィルタ４０の使用時間が、使用初期時間を超えていないときには、使用初期時間を超えているときに比べて、エアフィルタ４０による塵埃の捕捉可能な度合いが大きい度合いで表示される。従って、エアフィルタ４０の交換に基づいてエアフィルタ４０の使用時間の測定が開始されれば、エアフィルタ４０の交換作業完了からの経過時間が使用初期時間を超えていないときは、エアフィルタ４０の交換作業完了からの経過時間が使用初期時間を超えているときに比べて、塵埃の捕捉可能な度合いが大きい度合いで表示される。よって、エアフィルタ４０の交換作業完了からの経過時間が使用初期時間を超えていないときは、エアフィルタ４０を交換する必要性が低いことを提示可能である。
【００８６】
（１０）エアフィルタ４０の使用時間が、使用超過時間を超えているときには、使用超過時間を超えていないときに比べて、エアフィルタ４０による塵埃の捕捉可能な度合いが小さい度合いで表示される。従って、エアフィルタ４０の交換に基づいてエアフィルタ４０の使用時間の測定が開始されれば、エアフィルタ４０の交換作業完了からの経過時間が使用超過時間を超えているときは、エアフィルタ４０の交換作業完了からの経過時間が使用超過時間を超えていないときに比べて、塵埃の捕捉可能な度合いが小さい度合いで表示される。よって、エアフィルタ４０の交換作業完了からの経過時間が使用超過時間を超えているときは、エアフィルタ４０の経年劣化に応じてエアフィルタ４０を交換する必要性が高いことを提示可能である。
【００８７】
（第３実施形態）
次に、本発明の一実施形態である第３実施形態を説明する。なお、本実施形態においては、上記第１の実施形態と同様の構成については、その説明を省略または簡略化する。
【００８８】
上記第２の実施形態と同様に本実施形態においても、制御部３１は、エアフィルタ４０の目詰まり度合いの検出結果と、エアフィルタ４０の使用時間とに基づいて、エアフィルタ４０による塵埃の捕捉可能な度合いを導出する。
【００８９】
本実施形態においては、映像として表示される数値であって、エアフィルタ４０による塵埃の捕捉可能な度合いは、テーブルを使用して導出される。なお、本実施形態においては、エアフィルタ４０の使用時間に応じて、塵埃の捕捉可能な度合いを導出するための複数のテーブルが使い分けられる。塵埃の捕捉可能な度合いを導出するためのテーブルのデータは、記憶部３２に記憶されている。
【００９０】
エアフィルタ４０の使用時間が使用初期時間（例えば、１０００時間）を超えていないときは、下記表（１）のテーブルに基づいて、表示される度合いが制御部３１により決定される。
【００９１】
【表１】
2012128282.tif 000007
塵埃捕捉可能度「Ｐ」は、上記数式（１）を演算することにより算出される数である。
【００９２】
図７は、エアフィルタ４０の使用時間が使用初期時間を超えていないときの、エアフィルタ４０による塵埃の捕捉可能な度合いと、エアフィルタ４０の目詰まり度合いとの関係を示すグラフである。図７中の実線は、上記数式（１）を示すとともに、図７中の二点鎖線は、他の図中の二点鎖線と同様に、０以上１００以下の範囲で１０刻みの数値として表示されるエアフィルタ４０による塵埃の捕捉可能な度合いを示している。即ち、図７中の二点鎖線は、上記表（１）に基づいて導出された度合いである。本実施形態においても、エアフィルタ４０の使用時間が使用初期時間を超えていないときには、エアフィルタ４０による塵埃の捕捉可能な度合いが大きな度合いに維持され易い。
【００９３】
エアフィルタ４０の使用時間が、使用初期時間を超え、かつ、使用超過時間（例えば５０００時間）を超えていないときは、下記表（２）のテーブルに基づいて、表示される度合いが制御部３１により決定される。
【００９４】
【表２】
2012128282.tif 000008
塵埃捕捉可能度「Ｐ」は、上記数式（１）を演算することにより算出される数である。
【００９５】
図８は、エアフィルタ４０の使用時間が使用初期時間を超えて使用超過時間を超えていないときの、エアフィルタ４０による塵埃の捕捉可能な度合いと、エアフィルタ４０の目詰まり度合いとの関係を示すグラフである。図８中の実線は、上記数式（１）を示すとともに、図８中の二点鎖線は、他の図中の二点鎖線と同様に、０以上１００以下の範囲で１０刻みの数値として表示されるエアフィルタ４０による塵埃の捕捉可能な度合いを示している。即ち、図８中の二点鎖線は、上記表（２）に基づいて導出された度合いである。
【００９６】
エアフィルタ４０の使用時間が使用超過時間を超えているときは、下記表（３）のテーブルに基づいて、表示される度合いが制御部３１により決定される。
【００９７】
【表３】
2012128282.tif 000009
塵埃捕捉可能度「Ｐ」は、上記数式（１）を演算することにより算出される数である。
【００９８】
図９は、エアフィルタ４０の使用時間が使用超過時間を超えているときの、エアフィルタ４０による塵埃の捕捉可能な度合いと、エアフィルタ４０の目詰まり度合いとの関係を示すグラフである。図９中の実線は、上記数式（１）を示すとともに、図９中の二点鎖線は、他の図中の二点鎖線と同様に、０以上１００以下の範囲で１０刻みの数値として表示されるエアフィルタ４０による塵埃の捕捉可能な度合いを示している。即ち、図９中の二点鎖線は、上記表（３）に基づいて導出された度合いである。
【００９９】
本実施形態においても、上記（１）〜（１０）に記載の効果に加えて、以下の効果を得ることができる。
（１１）制御部３１は、エアフィルタ４０による塵埃の捕捉可能な度合いを記憶部３２に記憶されているテーブルに基づいて導出する。このため、上記第２実施形態に比べて、演算負荷を低減するとともに、エアフィルタ４０による塵埃の捕捉可能な度合いを容易かつ柔軟に決定することができる。
【０１００】
なお、本発明は、上記実施形態に限定されるものではなく、本発明の趣旨に基づいて種々の設計変更をすることが可能であり、それらを本発明の範囲から除外するものではない。例えば、上記実施形態を以下のように変更してもよく、以下の変更を組み合わせて実施してもよい。
【０１０１】
・筐体１０に設けられた表示部３４が、エアフィルタ４０の目詰まり度合いを画像として表示してもよい。即ち、エアフィルタ４０の目詰まり度合いを表示するための提示部は、筐体１０に設けられた表示部３４であってもよい。このような構成によれば、エアフィルタ４０の目詰まり度合いの映像を投写して表示することなく、エアフィルタ４０の目詰まり度合いを表示することが可能となる。
【０１０２】
・第２実施形態においては、補正係数「α」は一定の数であってもよい。このとき、エアフィルタ４０の使用時間が使用初期時間を超えていないときの補正係数「α」は１よりも大きい数であればよい。また、エアフィルタ４０の使用時間が使用超過時間を超えているときの補正係数「α」は１よりも小さい数であればよい。
【０１０３】
・上記第２実施形態を変形して、エアフィルタ４０の使用時間が使用初期時間を超えていないときの「Ｐ」の補正を行わないようにしてもよい。
・上記第２実施形態を変形して、エアフィルタ４０の使用時間が使用超過時間を超えているときの「Ｐ」の補正を行わないようにしてもよい。
【０１０４】
・上記第３実施形態において、エアフィルタ４０の使用時間に応じて、塵埃の捕捉可能な度合いを導出するための複数のテーブルが使い分けられなくてもよい。即ち、例えば、エアフィルタ４０の使用時間に関わらず、上記表（２）のテーブルに基づいて、表示される度合いが制御部３１により決定されてもよい。このような構成であっても、上記第１実施形態と同様の効果を得ることができる。
【０１０５】
・目詰まり検出センサ２７は、風量センサ以外のセンサにより構成してもよい。例えば、温度センサや圧力センサ等が目詰まり検出センサであってもよい。目詰まり検出センサ２７が、筐体１０内部の温度を検出する温度センサであれば、この温度センサにより、筐体１０内部の温度が、筐体１０の内部に設けられる光学部品である光源部２１や電子部品等に悪影響を与える異常温度に達しているか否かを判断することができる。
【０１０６】
・エアフィルタ４０による塵埃の捕捉可能な度合いが、数値以外の表示態様で表示されてもよい。
【符号の説明】
【０１０７】
１…プロジェクタ（投写型映像表示装置）、１０…筐体、１１…吸気口、２２…映像生成部、２３…投射レンズ（投射部；提示部）、２５…映像信号処理部、２６…冷却ファン、２７…目詰まり検出センサ（風量センサ）、２９…計時部、３１…制御部、３４…表示部（提示部）、４０…エアフィルタ、４０Ａ…１次エアフィルタ、４０Ｂ…２次エアフィルタ（静電フィルタ）、４１…フィルタ掃除装置、Ｔａ…使用初期時間（第１の所定時間）、Ｔｂ…使用超過時間（第２の所定時間）。
【図１】
2012128282.tif 000010
【図２】
2012128282.tif 000011
【図３】
2012128282.tif 000012
【図４】
2012128282.tif 000013
【図５】
2012128282.tif 000014
【図６】
2012128282.tif 000015
【図７】
2012128282.tif 000016
【図８】
2012128282.tif 000017
【図９】
2012128282.tif 000018